(57)【要約】【課題】フラップを内側に折り曲げたとき、本来の罫線以外の位置で折れてしまうことを抑制できる梱包箱を提供すること。【解決手段】梱包箱は、筒状の周壁と、周壁に連接されたフラップと、を備える。梱包箱は、第１罫線、第２罫線、第３罫線、及び陥没部をさらに備える。第１罫線は、周壁とフラップとの接続部における裏面に設けられ、接続部の長手方向と平行に延びる溝状の部分である。第２罫線及び第３罫線は、接続部における表面に設けられ、接続部の長手方向と平行に延びる溝状の部分である。陥没部は、接続部における裏面に設けられ、接続部の長手方向と平行に延びる、周囲よりも陥没した部分である。第１罫線は、第２罫線よりも、フラップにおける周壁とは反対の端部側に位置し、第３罫線は、第１罫線よりも、さらに端部側に位置し、陥没部は、第３罫線よりも、さらに端部側に位置し、陥没部の幅は、２０〜１００ｍｍである。【選択図】 図１
2018177329.tif 000002
【特許請求の範囲】
【請求項１】
筒状の周壁と、
前記周壁に連接されたフラップと、
を備える梱包箱であって、
前記周壁と前記フラップとの接続部における裏面に設けられ、前記接続部の長手方向と平行に延びる溝状の第１罫線と、
前記接続部における表面に設けられ、前記接続部の長手方向と平行に延びる溝状の第２罫線及び第３罫線と、
前記接続部における裏面に設けられ、前記接続部の長手方向と平行に延びる、周囲よりも陥没した陥没部と、
を備え、
前記第１罫線は、前記第２罫線よりも、前記フラップにおける前記周壁とは反対の端部側に位置し、
前記第３罫線は、前記第１罫線よりも、さらに前記端部側に位置し、
前記陥没部は、前記第３罫線よりも、さらに前記端部側に位置し、
前記陥没部の幅は、２０〜１００ｍｍである梱包箱。
【請求項２】
請求項１に記載の梱包箱であって、
前記周壁は、綾線を介して接続された４つの側面から構成され、
前記４つの側面に、それぞれ、前記フラップが連接されている梱包箱。
【請求項３】
請求項１又は２に記載の梱包箱であって、
前記陥没部は、前記フラップにおける一方の端から反対の端まで連続して形成されている梱包箱。
【請求項４】
請求項１〜３のいずれか１項に記載の梱包箱であって、
前記フラップは前記梱包箱の天板を構成する梱包箱。
【請求項５】
請求項１〜４のいずれか１項に記載の梱包箱であって、
前記周壁及び前記フラップは段ボールから成る梱包箱。
【発明の詳細な説明】
【技術分野】
【０００１】
本開示は梱包箱に関する。
【背景技術】
【０００２】
従来、筒状の周壁と、その周壁に連接されたフラップと、を備える梱包箱が知られている。梱包箱を使用するとき、フラップを外側に折り曲げることがある。フラップを外側に折り曲げるために要する力（以下では外折り力とする）は小さいことが望ましい。特許文献１には、梱包箱の表側に逆罫線を設けることで、外折り力を低減しようとする技術が開示されている。さらに特許文献１記載の技術は、梱包箱の裏側に弱罫線を設けることにより、フラップを外側に折り曲げるとき、通常罫線と逆罫線との間でフラップが折れることを防止しようとしている。
【先行技術文献】
【特許文献】
【０００３】
【特許文献１】特開２０１７−１３８９７号公報
【発明の概要】
【発明が解決しようとする課題】
【０００４】
特許文献１記載の技術では、フラップを内側に折り曲げると、通常罫線ではなく、弱罫線で折れてしまうことがある。本開示の一局面は、フラップを内側に折り曲げたとき、本来の罫線以外の位置で折れてしまうことを抑制できる梱包箱を提供することを目的とする。
【課題を解決するための手段】
【０００５】
本開示の一態様は、筒状の周壁と、前記周壁に連接されたフラップと、を備える梱包箱であって、前記周壁と前記フラップとの接続部における裏面に設けられ、前記接続部の長手方向と平行に延びる溝状の第１罫線と、前記接続部における表面に設けられ、前記接続部の長手方向と平行に延びる溝状の第２罫線及び第３罫線と、前記接続部における裏面に設けられ、前記接続部の長手方向と平行に延びる、周囲よりも陥没した陥没部と、を備え、前記第１罫線は、前記第２罫線よりも、前記フラップにおける前記周壁とは反対の端部側に位置し、前記第３罫線は、前記第１罫線よりも、さらに前記端部側に位置し、前記陥没部は、前記第３罫線よりも、さらに前記端部側に位置し、前記陥没部の幅は、２０〜１００ｍｍである梱包箱である。
【０００６】
本開示の一態様である梱包箱は、陥没部の幅が２０〜１００ｍｍであることにより、フラップを内側に折り曲げたとき、陥没部で折れてしまうことを抑制できる。
また、本開示の一態様である梱包箱は、上述した第１罫線、第２罫線、第３罫線、及び陥没部を備えることにより、フラップを外側に折り曲げるときの外折り力を低減することができる。その理由は以下のとおりである。第２罫線と、第３罫線とを比べると、第３罫線の方が、陥没部に近い。そのため、フラップを外側に折り曲げるとき、第３罫線において折れ曲がる。そして、陥没部の存在により、第３罫線において折れ曲がるときの外折り力は低減される。
【０００７】
また、本開示の一態様である梱包箱は、フラップを内側に折り曲げた状態で縦方向に積み重ねたときの積圧強度が高い。その理由は以下のとおりである。陥没部は、第１罫線よりも、フラップにおける周壁とは反対の端部側に位置する。そのため、第１罫線でフラップを内側に折り曲げた梱包箱において、陥没部は周壁上に位置しない。その結果、梱包箱を縦方向に積み重ね、周壁に荷重がかかった場合でも、陥没部において周壁が折れ曲がってしまうようなことがなく、積圧強度が高い。
【図面の簡単な説明】
【０００８】
【図１】組み立てられた状態の梱包箱１の構成を表す斜視図である。
【図２】展開された状態の梱包箱１の表面を表す平面図である。
【図３】展開された状態の梱包箱１の裏面を表す平面図である。
【図４】図２におけるIV-IV断面での断面図である。
【図５】第１罫線３１、第２罫線３３、及び第３罫線３５の形成方法を表す説明図である。
【図６】陥没部３７の幅Ｗを表す説明図である。
【発明を実施するための形態】
【０００９】
本開示の実施形態を図面に基づき説明する。
＜第１実施形態＞
１．梱包箱１の全体構成
梱包箱１の全体構成を図１〜図３に基づき説明する。梱包箱１は段ボール箱である。図１〜図３に示すように、梱包箱１は、４つの側面３、５、７、９を備える。側面５、９の幅は、側面３、７の幅より小さい。側面３と側面５とは、綾線１１を介して接続している。側面５と側面７とは、綾線１３を介して接続している。側面７と側面９とは、綾線１５を介して接続している。図１に示すように、側面３、５、７、９は、梱包箱１を組み立てたとき、筒状の周壁を構成する。
【００１０】
梱包箱１は、さらに、糊しろ１９を備える。糊しろ１９は、綾線１７を介して、側面３に接続している。綾線１７は、側面３から見て、綾線１１とは反対側にある綾線である。糊しろ１９は、梱包箱１を組み立てたとき、側面９のうち、綾線１５とは反対側にある接着部２１に接着される。
【００１１】
梱包箱１は、さらに、フラップ２３、２５、２７、２９を備える。フラップ２３は、側面３に連接している。フラップ２５は、側面５に連接している。フラップ２７は、側面７に連接している。フラップ２９は、側面９に連接している。フラップ２３、２５、２７、２９は、梱包箱１を組み立てたとき、天板を構成する。
【００１２】
梱包箱１は、さらに、フラップ３９、４１、４３、４５を備える。フラップ３９は、側面３に連接している。フラップ４１は、側面５に連接している。フラップ４３は、側面７に連接している。フラップ４５は、側面９に連接している。フラップ３９、４１、４３、４５は、梱包箱１を組み立てたとき、底板を構成する。
【００１３】
図３に示すように、側面３とフラップ２３との接続部４６における裏面に、第１罫線３１が設けられている。裏面とは、梱包箱１を組み立てたとき、内側となる面を意味する。第１罫線３１は、図３における左右方向において、フラップ２３の一方の端から、反対の端まで延びている。以下では、図２及び図３における左右方向を、接続部長手方向とする。図４に示すように、第１罫線３１は溝状の形状を有する。第１罫線３１は、例えば、コルゲート罫線である。
【００１４】
図１及び図２に示すように、側面３とフラップ２３との接続部４６における表面に、第２罫線３３及び第３罫線３５が形成されている。表面とは、梱包箱１を組み立てたとき、外側となる面を意味する。第２罫線３３及び第３罫線３５は、それぞれ、接続部長手方向と平行に、フラップ２３の一方の端から、反対の端まで延びている。図４に示すように、第２罫線３３及び第３罫線３５は、それぞれ、溝状の形状を有する。第２罫線３３及び第３罫線３５は、例えば、コルゲート罫線である。
【００１５】
図３に示すように、側面３とフラップ２３との接続部４６における裏面に、陥没部３７が形成されている。陥没部３７は、接続部長手方向と平行に、フラップ２３の一方の端から、反対の端まで連続して延びている。陥没部３７は、その周囲の部分よりも一段陥没した形状を有する。陥没部３７の幅は、第１罫線３１、第２罫線３３、及び第３罫線３５の幅よりも広い。陥没部３７の幅とは、接続部長手方向と直交する方向での長さを意味する。陥没部３７の幅については後にさらに詳述する。陥没部３７の深さは、第１罫線３１、第２罫線３３、及び第３罫線３５の深さと比べて、浅くてもよいし、同じであってもよいし、深くてもよい。
【００１６】
図１〜図４に示すように、フラップ２３における側面３とは反対の端部を２３Ａとする。図２に示すIV-IV断面での、第１罫線３１、第２罫線３３、第３罫線３５、及び陥没部３７の位置関係は、図４に示すとおりである。第１罫線３１は、第２罫線３３よりも、端部２３Ａの側に位置する。第３罫線３５は、第１罫線３１よりも、さらに端部２３Ａの側に位置する。陥没部３７は、第３罫線３５よりも、さらに端部２３Ａの側に位置する。
【００１７】
図４に示すように、フラップ２３を内側に折り曲げるとき、第１罫線３１において折れ曲がる。また、フラップ２３を外側に折り曲げるとき、第３罫線３５において折れ曲がる。第３罫線３５は、その近傍に陥没部３７が存在するため、第２罫線３３よりも折れ曲がり易い。フラップ２３が第１罫線３１において内側に折れ曲がったとき、陥没部３７は、梱包箱１の天板に位置し、周壁には位置しない。
【００１８】
側面５とフラップ２５との接続部、側面７とフラップ２７との接続部、側面９とフラップ２９との接続部においても、上記と同様に、第１罫線３１、第２罫線３３、第３罫線３５、及び陥没部３７が形成されている。
【００１９】
側面３とフラップ３９との接続部、側面５とフラップ４１との接続部、側面７とフラップ４３との接続部、側面９とフラップ４５との接続部においても、上記と同様に、第１罫線３１、第２罫線３３、及び第３罫線３５が形成されている。ただし、それらの接続部には陥没部３７は形成されていない。
【００２０】
２．第１罫線３１、第２罫線３３、第３罫線３５、及び陥没部３７の形成方法
展開した状態の梱包箱１（ただし、第１罫線３１、第２罫線３３、第３罫線３５、及び陥没部３７を未形成のもの）を、図５に示す第１ローラ１０１と第２ローラ１０３との間に通す。第１ローラ１０１の外周には１つの突出部１０５が形成されている。第２ローラ１０３の外周には、１対の突出部１０７、１０９が形成されている。突出部１０５は、突出部１０７と突出部１０９との間の部分に対向する。突出部１０５により、第１罫線３１が形成される。突出部１０７及び突出部１０９により、第２罫線３３及び第３罫線３５がそれぞれ形成される。
【００２１】
次に、展開した状態の梱包箱１のうち、陥没部３７を形成すべき場所に木型を押し付けることで、陥没部３７を形成する。
３．陥没部３７の幅Ｗについて
図６に基づき、陥没部３７の幅Ｗについて説明する。図６は、陥没部３７及び第１罫線３１の長手方向に直交する方向でのフラップ２３及び側面３の断面図である。図６において、フラップ２３の主面と側面３の主面とは同一平面に属する。
【００２２】
図６において上から下に進むとき、フラップ２３又は側面３の内側面が、陥没部３７が存在するために陥没し始める位置をＰ１とし、フラップ２３又は側面３の内側面が、陥没部３７が終了して上昇し終えた位置をＰ２とする。図６に示す断面における位置Ｐ１と位置Ｐ２との距離を、陥没部３７の幅Ｗとする。
【００２３】
梱包箱１において、陥没部３７の幅Ｗは２０〜１００ｍｍである。側面５とフラップ２５との接続部、側面７とフラップ２７との接続部、側面９とフラップ２９との接続部においても、上記と同様に、陥没部３７の幅Ｗは、２０〜１００ｍｍである。陥没部３７の幅Ｗが２０〜１００ｍｍであることにより、フラップ２３、２５、２７、２９を内側に折り曲げたとき、それらが陥没部３７で折れてしまうことを抑制できる。陥没部３７の幅Ｗは、２０〜５０ｍｍであることが好ましい。この場合、フラップ２３、２５、２７、２９を内側に折り曲げたとき、それらが陥没部３７で折れてしまうことを一層抑制できる。陥没部３７の幅Ｗが大きいほど、フラップ２３、２５、２７、２９を内側に折り曲げたとき、それらが陥没部３７で折れてしまうことを一層抑制できる。
【００２４】
陥没部３７の幅Ｗは、木型の幅と、木型を押し付ける力とを変化させることにより調整できる。陥没部３７は、図６に示す断面において、急角度で屈折する部分がないことが好ましい。
４．梱包箱１の評価
（４−１）折り曲げ強度の測定
表１に示す梱包箱１Ａ〜１Ｄ、Ｒ１〜Ｒ３を作成した。
【００２５】
【表１】
2018177329.tif 000003
梱包箱１Ａ〜１Ｄは、上述した梱包箱１の構成を備える。表１における「材質」は、梱包箱の材質を意味する。表１における「罫線深さ」は、第１罫線３１、第２罫線３３、及び第３罫線３５の深さを意味する。「罫線深さ」には、「通常」と、「大」との２種類がある。「大」は「通常」より大きい。表１における「木型圧」は、陥没部３７を形成するために押し付ける木型の圧力である。「木型圧」が大きいほど、陥没部３７は深くなる。梱包箱１Ａ〜１Ｄにおいて、陥没部３７の幅Ｗは、３０ｍｍである。
【００２６】
梱包箱Ｒ１は、梱包箱１Ａと基本的には同じであるが、陥没部３７を備えないものである。梱包箱Ｒ２は、梱包箱１Ｂと基本的には同じであるが、陥没部３７を備えないものである。梱包箱Ｒ３は、梱包箱１Ｃ、１Ｄと基本的には同じであるが、陥没部３７を備えないものである。
【００２７】
各梱包箱について、段ボール業界規格ＪＣＳ  Ｔ０００１の規定に従い、フラップ２３、２５、２７、２９を外側に折り曲げるときの折り曲げ強度を測定した。外側に折り曲げるときの折り曲げ強度は、上述した外折り力に対応する。
【００２８】
折り曲げ強度の測定は、第２罫線３３で外側に折り曲げる場合と、第３罫線３５で外側に折り曲げる場合とで、それぞれ行った。１つの梱包箱について、８箇所で測定を行い、８箇所の測定値の平均値を採用した。
【００２９】
測定結果を上記表１に示す。表１における「第２罫線」は、第２罫線３３で外側に折り曲げる場合の折り曲げ強度である。表１における「第３罫線」は、第３罫線３５で外側に折り曲げる場合の折り曲げ強度である。
【００３０】
梱包箱１Ａにおける第３罫線３５での折り曲げ強度は、梱包箱Ｒ１における第３罫線３５での折り曲げ強度より顕著に低かった。また、梱包箱１Ａにおける第３罫線３５での折り曲げ強度は、同じ梱包箱における第２罫線３３での折り曲げ強度より顕著に低かった。
【００３１】
梱包箱１Ｂにおける第３罫線３５での折り曲げ強度は、梱包箱Ｒ２における第３罫線３５での折り曲げ強度より顕著に低かった。また、梱包箱１Ｂにおける第３罫線３５での折り曲げ強度は、同じ梱包箱における第２罫線３３での折り曲げ強度より顕著に低かった。
【００３２】
梱包箱１Ｃにおける第３罫線３５での折り曲げ強度は、梱包箱Ｒ３における第３罫線３５での折り曲げ強度より顕著に低かった。また、梱包箱１Ｃにおける第３罫線３５での折り曲げ強度は、同じ梱包箱における第２罫線３３での折り曲げ強度より顕著に低かった。
【００３３】
梱包箱１Ｄにおける第３罫線３５での折り曲げ強度は、梱包箱Ｒ３における第３罫線３５の折り曲げ強度より顕著に低かった。また、梱包箱１Ｄにおける第３罫線３５での折り曲げ強度は、同じ梱包箱における第２罫線３３での折り曲げ強度より顕著に低かった。
【００３４】
（４−２）積圧強度の測定
ＪＩＳ  Ｚ０２１２の規定に従い、梱包箱１Ａ〜１Ｄ、Ｒ１〜Ｒ３の積圧強度を測定した。その結果を上記表１に示す。
【００３５】
梱包箱１Ａの積圧強度は、梱包箱Ｒ１の積圧強度と同程度であった。梱包箱１Ｂの積圧強度は、梱包箱Ｒ２の積圧強度と同程度であった。梱包箱１Ｃ、１Ｄの積圧強度は、梱包箱Ｒ３の積圧強度と同程度であった。すなわち、陥没部３７を形成しても、梱包箱１Ａ〜１Ｄの積圧強度は低下しにくかった。
【００３６】
（４−３）折れ曲がる位置の評価
基本的には梱包箱１Ａと同様の梱包箱を作成した。ただし、陥没部３７の幅Ｗを、３ｍｍ、５ｍｍ、１０ｍｍ、及び２０ｍｍのいずれかとした。フラップを手で持ち、内側に折り曲げ、折れ曲がる位置を特定した。折れ曲がる位置が第１罫線３１であれば、折れ曲がる位置は正常（○）であるとした。また、折れ曲がる位置が第１罫線３１以外であれば、折れ曲がる位置は異常（×）であるとした。１つの条件当たりのＮ数は５とした。評価結果を表２に示す。
【００３７】
【表２】
2018177329.tif 000004
表２に示すように、陥没部３７の幅Ｗが２０ｍｍ以上であれば、折れ曲がる位置は正常であった。
【００３８】
５．梱包箱１が奏する効果
（１ａ）梱包箱１は、外折り力を低減することができる。その理由は以下のとおりである。第２罫線３３と、第３罫線３５とを比べると、第３罫線３５の方が、陥没部３７に近い。そのため、フラップ２３、２５、２７、２９を外側に折り曲げるとき、第３罫線３５において折れ曲がる。そして、陥没部３７の存在により、第３罫線３５において折れ曲がるときの外折り力は低減される。
【００３９】
（１ｂ）梱包箱１において、第３罫線３５での外折り力は、第２罫線３３での外折り力より小さい。そのため、フラップを外折りするときの折り目は、第３罫線３５となる。その結果、フラップを外折りするときの折り目が、第３罫線３５と第２罫線３３とに跨って生じてしまうことを抑制できる。
【００４０】
（１ｃ）梱包箱１は積圧強度が高い。その理由は以下のとおりである。陥没部３７は、第１罫線３１よりも、端部２３Ａ側に位置する。そのため、図４に示すように、第１罫線３１でフラップ２３、２５、２７、２９を内側に折り曲げたとき、陥没部３７は周壁上に位置しない。その結果、梱包箱１を縦方向に積み重ね、周壁に荷重がかかった場合でも、陥没部３７において周壁が折れ曲がってしまうようなことがなく、積圧強度が高くなる。
【００４１】
（１ｄ）陥没部３７の幅Ｗは２０〜１００ｍｍである。そのことにより、フラップ２３、２５、２７、２９を内側に折り曲げたとき、陥没部３７で折れ曲がってしまうことを抑制でき、第１罫線３１において折り曲げることができる。
【００４２】
（１ｅ）梱包箱１は、綾線１１、１３、１５を介して接続された４つの側面３、５、７、９を備える。それらの側面３、５、７、９には、それぞれ、フラップ２３、２５、２７、２９が連接されている。梱包箱１は、フラップ２３、２５、２７、２９のそれぞれについて、外折り力を低減することができる。
【００４３】
（１ｆ）フラップ２３、２５、２７、２９は、内側に折り曲げたとき、梱包箱１の天板を構成する。梱包箱１は、天板を構成するフラップ２３、２５、２７、２９の外折り力を低減できる。
（１ｇ）側面３、５、７、９及びフラップ２３、２５、２７、２９は段ボールから成る。梱包箱１は、段ボールから成るフラップ２３、２５、２７、２９の外折り力を低減できる。
【００４４】
＜他の実施形態＞
以上、本開示の実施形態について説明したが、本開示は上述の実施形態に限定されることなく、種々変形して実施することができる。
【００４５】
（１）フラップ２３、２５、２７、２９は、梱包箱１の天板を構成するものでなくてもよい。例えば、フラップ２３、２５、２７、２９は、梱包箱１の底板を構成するものであってもよい。
（２）梱包箱１は、フラップ２３、２５、２７、２９のうち、一部を備えなくてもよい。
【００４６】
（３）フラップ２３、２５、２７、２９の一部は、陥没部３７を備えなくてもよい。
（４）梱包箱１の材質は段ボール以外であってもよい。
（５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００４７】
（６）上述した梱包箱の他、当該梱包箱を構成要素とするシステム、梱包箱の製造方法等、種々の形態で本開示を実現することもできる。
【符号の説明】
【００４８】
１…梱包箱、３、５、７、９…側面、１１、１３、１５、１７…綾線、１９…糊しろ、２１…接着部、２３、２５、２７、２９、３９、４１、４３、４５…フラップ、２３Ａ…端部、３１…第１罫線、３３…第２罫線、３５…第３罫線、３７…陥没部、１０１…第１ローラ、１０３…第２ローラ、１０５、１０７、１０９…突出部
【図１】
2018177329.tif 000005
【図２】
2018177329.tif 000006
【図３】
2018177329.tif 000007
【図４】
2018177329.tif 000008
【図５】
2018177329.tif 000009
【図６】
2018177329.tif 000010